(57)【特許請求の範囲】
【請求項１】
照明エリアの照度を測定する照度センサと、この照度センサによる測定結果を、予め記憶しておいた目標設定値に合わせるように、予め記憶しておいた調光特性データテーブルに基づいて調光レベルを演算して、その調光レベルを調光レベル信号として送出する調光制御装置と、上記調光レベル信号を受けて、上記照明器具の照度を調節する調光端末器とで構成される照明制御システムにおいて、
上記調光制御装置は、上記照明器具に対する初期の調光レベルを少なくとも記憶する記憶手段と、上記照度センサから照明エリアの測定照度が順次送られて自動的に上記演算を行い、上記照明器具に対する調光レベルを演算する毎に、演算した調光レベルから初期の調光レベルを減算し、減算した値が所定のしきい値を超えたときには、所定の警告処理をする制御手段とを備える、省エネ機能付き照明制御システム。
【請求項２】
請求項１において、
上記所定の警告処理は、上記照明器具を交換または清掃することを促す、所定の表示であることを特徴とする、省エネ機能付き照明制御システム。
【請求項３】
請求項１において、
上記所定の警告処理は、上記照明器具を交換または清掃することを促す、所定の音出力であることを特徴とする、省エネ機能付き照明制御システム。
【請求項４】
請求項１〜３のいずれかにおいて、
上記照明器具は蛍光灯であることを特徴とする、省エネ機能付き照明制御システム。
【発明の詳細な説明】
【０００１】
【発明の属する技術分野】
本発明は、照明エリアの照度を測定する照度センサと、この照度センサによる測定照度に基づいて、照明器具に対する調光レベルを演算する調光制御装置と、この調光制御装置から調光レベル信号を受けて、照明エリアの照明器具の照度を調節する調光端末器とで構成される照明制御システムの改良に関する。
【０００２】
【従来の技術】
近時、オフィスなどにおいて、照明制御システムが広く使用されており、その構成を図４に示す。このものは、調光制御装置１００と、照明エリアの照度を測定し、その測定照度を調光制御装置１００に送る照度センサ２００と、調光制御装置１００から調光レベル信号を受けて、照明器具４００（ここでは蛍光灯）の照度を設定する調光端末器３００とを多重伝送線Ｌを介して接続することで構成している。
【０００３】
調光制御装置１００は、ＣＰＵなどで構成される演算部１１０と、ＲＡＭやＲＯＭなどで構成される記憶部１１１と、液晶画面やＬＥＤなどで構成される表示部１１２とを備えており、記憶部１１１は、照明器具４００の調光特性データテーブル（図５参照）と、照明器具の目標照度値とを記憶している。
【０００４】
このような照明制御システムでは、照度センサ２００は、照明器具４００から照射され、床面に反射した光を受光し、その測定照度を調光制御装置１００に送り、これを受けた調光制御装置１００は、照度センサ２００による測定照度を、記憶部１１１の目標照度値に合わせるべく、記憶部１１１の調光特性データテーブルに基づいて調光レベルを演算し、その調光レベルを調光レベル信号として調光端末器３００に対して送出し、これを受けた調光端末器３００は、受信した調光レベル信号に基づいて照明器具４００の照度を調節する。これによって、照明器具４００の無駄な明るさを省くことができ、省エネを図ることが可能となっている。
【０００５】
【発明が解決しようとする課題】
ところで、照明器具４００の経年変化は、図６に示すようになっており、照明器具４００の使用時間が長いほど、その照度は低下し、末期ではチラツキが発生する。また、照明器具４００の省エネ特性は、図７に示すようになっており、使用時間が長いほど、照明器具４００の経年変化や汚れなどによって、調光レベル信号による調光は無駄となり、その省エネ効果は低下する。
【０００６】
本発明は、上記事情を考慮してなされたものであり、照明器具の早期の交換や清掃を促すことによって、その照明器具に対する調光を無駄とせず、省エネ効果を高めることのできる省エネ機能付き照明制御システムを提供することを目的としている。
【０００７】
【課題を解決するための手段】
上記目的を達成するために、本発明の請求項１に記載の省エネ機能付き照明制御システムでは、照明エリアの照度を測定する照度センサと、この照度センサによる測定結果を、予め記憶しておいた目標設定値に合わせるように、予め記憶しておいた調光特性データテーブルに基づいて調光レベルを演算して、その調光レベルを調光レベル信号として送出する調光制御装置と、調光レベル信号を受けて、照明器具の照度を調節する調光端末器とで構成される照明制御システムにおいて、調光制御装置は、照明器具に対する初期の調光レベルを少なくとも記憶する記憶手段と、照度センサから照明エリアの測定照度が順次送られて自動的に演算を行い、照明器具に対する調光レベルを演算する毎に、演算した調光レベルから初期の調光レベルを減算し、減算した値が所定のしきい値を超えたときには、所定の警告処理をする制御手段とを備える。
【０００８】
請求項２に記載の省エネ機能付き照明制御システムでは、所定の警告処理は、照明器具を交換または清掃することを促す、所定の表示である。
【０００９】
請求項３に記載の省エネ機能付き照明制御システムでは、所定の警告処理は、照明器具を交換または清掃することを促す、所定の音出力である。
【００１０】
請求項４に記載の省エネ機能付き照明制御システムでは、照明器具は、蛍光灯である。
【００１１】
【発明の実施の形態】
以下に、本発明の一実施の形態について、図面とともに説明する。図１は、本発明システムの構成の一例を概略的に示すシステム図である。
【００１２】
このものは、調光制御装置１と、床面に反射される光を受光してその照度を測定し、調光制御装置１に送る照度センサ２と、調光制御装置２から調光レベル信号を受けて、照明器具４（ここでは蛍光灯）の照度を設定する調光端末器３とを多重伝送線Ｌを介して接続することで構成している。
【００１３】
調光制御装置１は、図２に示すような内部構成をしており、ＣＰＵなどで構成される演算部１０と、ＲＡＭやＲＯＭなどで構成される記憶部１１と、液晶画面やＬＥＤなどで構成される表示部１２と、スピーカなどで構成される音出力部１３とを備えており、記憶部１１は、照明器具４の調光特性データテーブル（図５参照）と、照明器具４の目標照度値の他に、照明器具４の交換や清掃が必要となる所定のしきい値Ｘを記憶しており、後述する処理で、照明器具４に対する初期の調光レベルＬ１が更に記憶される。なお、この調光制御装置１では、演算部１０は本発明の制御手段を構成し、記憶部１１は本発明の記憶手段を構成している。
【００１４】
調光制御装置１は、照度センサ２から順次送られてくる照明エリアの測定照度を、記憶部１１の目標照度値に合わせるべく、記憶部１１の調光特性データテーブルに基づいて調光レベルを演算し、その調光レベルを調光レベル信号として調光端末器３に対して送出し、これを受けた調光端末器３は、受信した調光レベル信号に基づいて照明器具４の照度を調節する。
【００１５】
このような構成の照明制御システムにおいて、調光制御装置１は、初期の調光レベルＬ１を記憶部１１に記憶するようになっており、続けて照度センサ２から送られてくる測定照度を基にして、調光レベル信号Ｌｎを演算する毎に、その調光レベルＬｎから初期の調光レベルＬ１を減算して、この減算した値（Ｌｎ−Ｌ１）が所定のしきい値Ｘを超えたときには、照明器具４の交換あるいは清掃を促す所定の表示を、表示部１２によって行う。減算した値（Ｌｎ−Ｌ１）は、図３に示すように、照明器具４の使用時間に従って増加するようになっており、減算した値（Ｌｎ−Ｌ１）が増加するほど、その照明器具４に対する調光に無駄がでてくるので、減算した値（Ｌｎ−Ｌ１）が、しきい値Ｘを超えると、先述したような表示を行う。なお、ここでは、照明器具４の交換または清掃を促すのを、表示部１２による表示によって行っているが、本発明ではこの例に限られず、音声メッセージなどの所定の音出力を、音出力部１３により行うようにしてもよい。
【００１６】
【発明の効果】
以上の説明からも理解できるように、本発明の請求項１に記載の省エネ機能付き照明制御システムでは、調光制御装置は、照明器具に対する調光レベルを演算する毎に、演算した調光レベルから初期の調光レベルを減算し、この減算した値が所定のしきい値を超えたときには、所定の警告処理をするので、照明器具の早期の交換や清掃を促す処理を行えば、その照明器具に対する調光を無駄とせず、省エネ効果を高めることができる。
【００１７】
請求項２に記載の省エネ機能付き照明制御システムでは、所定の警告処理は、照明器具を交換または清掃することを促す、所定の表示であるので、照明器具が交換または清掃時期であることを容易に確認することができる。
【００１８】
請求項３に記載の省エネ機能付き照明制御システムでは、所定の警告処理は、照明器具を交換または清掃することを促す、所定の音出力であるので、請求項２と同様に、照明器具が交換または清掃時期であることを容易に確認することができる。
【００１９】
請求項４に記載の省エネ機能付き照明制御システムでは、照明器具は、蛍光灯であるので、照明器具として蛍光灯を用いた照明制御システムに対して、本発明を適用することができる。
【図面の簡単な説明】
【図１】本発明システムの構成の一例を概略的に示すシステム図である。
【図２】調光制御装置の内部構成の一例を示すブロック図である。
【図３】調光レベルを減算した値（Ｌｎ−Ｌ１）の、照明器具の使用時間に従う特性を示す図である。
【図４】従来の照明制御システムを示す図である。
【図５】調光特性データテーブルを示す図である。
【図６】照明器具の経年変化を示す図である。
【図７】照明器具の省エネ特性を示す図である。
【符号の説明】
１・・・調光制御装置
２・・・照度センサ
３・・・調光端末器
４・・・照明器具
１０・・・演算部
１１・・・記憶部
Ｌ１・・・初期の調光レベル
Ｌｎ・・・調光レベル
Ｘ・・・しきい値
【図１】
0003928346.tif 000002
【図２】
0003928346.tif 000003
【図３】
0003928346.tif 000004
【図４】
0003928346.tif 000005
【図５】
0003928346.tif 000006
【図６】
0003928346.tif 000007
【図７】
0003928346.tif 000008